(57)【要約】【課題】摩擦力に依存せず、小型化が可能で、安価な部品で、着脱の容易な雲台装置の提供を目的とする。【解決手段】懸架金具２０１には、２本の棒２０２が、所定の間隔を保ち、平行に固定されている。雲台筐体３０１には、突起中空部に、棒２０２に係合する貫通穴３０２が前後面に設けられ、天面には、２本の棒２０２の空隙中心に直交して螺進するネジ４０１が設けられている。ネジ４０１の先端には、先細の円錐柱４０２が一体で形成され、レバー５０１は、ネジでネジ４０１と固定するように構成している。レバー５０１を固定位置に回動すると、螺進した円錐柱４０２が２本の棒２０２の間隔を押し広げ、２本の棒２０２の軸間隔寸法を、雲台筐体３０１の取付穴２０３の穴間隔寸法より大きくするため、雲台筐体３０１は移動を拘束され、固定されることとなる。【選択図】図１
2007199561.tif 000002
【特許請求の範囲】
【請求項１】
所定の間隔を保つ平行な２本の棒を有した懸架金具と、
前後面に前記２本の棒に係合する２対の貫通穴と、前記２本の棒が前記貫通穴に係合したときに前記２本の棒の外側に前記２本の棒の湾曲を許容する空間と、前記２本の棒を押圧して湾曲させる湾曲手段と、カメラを係止するためのネジ部とを備えた雲台筐体と、
を備え、
前記２本の棒を前記貫通穴に係合させてから前記湾曲手段によって前記２本の棒を湾曲させることで前記懸架金具と前記雲台筐体とを固定する雲台装置。
【請求項２】
前記湾曲手段は、先端にテーパ状の円錐柱を有したネジを備え、前記円錐柱を前記２本の棒の空隙に螺進させることで、前記円錐柱が前記２本の棒を外側に押圧して湾曲させる、請求項１記載の雲台装置。
【発明の詳細な説明】
【技術分野】
【０００１】
本発明は、カメラ等を基台に支持し、ワンタッチで基台からカメラの着脱を可能にした雲台装置に関する。
【背景技術】
【０００２】
従来の雲台装置は、蟻状突起を有しておりカメラを取付けるプレートと、上面に蟻溝状レールを有すると共に、底面にレバーの回動により昇降する押圧盤とを有しており、プレートを保持するカメラ取付ブロックとを具備し、蟻溝と蟻状突起とを、押圧盤による押圧力により発生する摩擦力で固定している（たとえば特許文献１参照）。
【０００３】
図３は、特許文献１に記載された従来の雲台装置の構成を示すものである。
【０００４】
図３において、スライドプレート１０１の両側面は、蟻状突起１０２を備え、カメラ（不図示）はスライドプレート１０１を貫通するカメラネジ１０３でスライドプレート１０１に固定されている。カメラ取付ブロック１１１には、一対の蟻溝１１２と、押圧盤１２１を収納する凹部１１３と、押圧盤１２１の昇降ネジ１２２に係合するネジが配され、三脚（不図示）等の基台に固定されている。カメラを装着したスライドプレート１０１は、蟻状突起１０２を蟻溝１１２に係合させて、カメラ取付ブロック１１１に装着される。蟻状突起１０２と蟻溝１１２には微小な空隙を持たせており、装着状態では前後に摺動するが、昇降ネジ１２２に設けたレバー１２３を回転させると、ネジの螺進で押圧盤１２１はスライドプレート１０１の底面を押し上げることにより、蟻状突起１０２と蟻溝１１２との摩擦力及びスライドプレート１０１の底面と押圧盤１２１との摩擦力でスライドプレート１０１とカメラ取付ブロック１１１とが固定されていた。
【特許文献１】実開平６−２０９９４号公報
【発明の開示】
【発明が解決しようとする課題】
【０００５】
しかしながら、前記従来の構成では、蟻溝の加工には特殊な刃物や金型が必要となるため部品が高価になると共に、摩擦力に依存して固定するために、小型化すると接触面積が減少してしまい十分な固定力が得られないという課題を有していた。
【０００６】
本発明は上記課題に鑑み、複雑な加工が不要な安価な部品で、強固な固定とワンタッチ着脱が可能な雲台装置を提供することを目的とする。
【課題を解決するための手段】
【０００７】
従来の課題を解決するために、本発明の雲台装置は、所定の間隔を保つ平行な２本の棒を有した懸架金具と、前後面に２本の棒に係合する２対の貫通穴と、２本の棒が貫通穴に係合したときに２本の棒の外側に２本の棒の湾曲を許容する空間と、２本の棒を押圧して湾曲させる湾曲手段と、カメラを係止するためのネジ部とを備えた雲台筐体と、を備え、２本の棒を貫通穴に係合させてから湾曲手段によって２本の棒を湾曲させることで懸架金具と雲台筐体とを固定する。
【発明の効果】
【０００８】
本発明の雲台装置によれば、螺進した円錐柱が、２本の棒を湾曲させて外側に押し広げ、変形した棒が雲台筐体の移動を拘束する。摩擦力に依存しない固定方法のため、小型化が可能となり、複雑な加工がない安価な部品で、強固な固定とワンタッチ着脱を実現することができる。
【発明を実施するための最良の形態】
【０００９】
以下本発明を実施するための最良の形態について、図面を参照しながら説明する。本実施の形態では、車載用監視カメラを車内に固定するための雲台装置を例にとって説明する。
【００１０】
図１は、本発明の実施の形態における雲台装置の部分断面斜視図である。図１において、懸架金具２０１には、円形断面で直線形状の２本の棒２０２が所定の間隔を保ち、平行に植立されている。懸架金具２０１は、取付穴２０３を用いて、車のサンバイザーフックに共締めされて車体天井（不図示）に固定される。
【００１１】
雲台筐体３０１の下部には、カメラを固定するためのカメラネジ３０６が設けられている。
【００１２】
雲台筐体３０１の上部には、上方に突出した中空の突起中空部３０３が設けられている。突起中空部３０３には、棒２０２の直径よりわずかに大きく、２本の棒２０２に係合する貫通穴３０２が２対、前後面に設けられている。
【００１３】
突起中空部３０３の天面にはネジ穴３０４が設けられており、このネジ穴３０４には、棒２０２が貫通穴３０２を貫通して係合したときに２本の棒２０２の空隙を中心に直交して下方に螺進するネジ４０１が設けられている。ネジ４０１の先端には、テーパ状の円錐柱４０２が一体に形成されている。円錐柱４０２の根元の最も直径が大きい部分では、その直径（以下、最大径と言う）は２本の棒２０２の間隔よりも大きく、円錐柱４０２の先端部の最も直径が小さい部分では、その直径（以下、最小径と言う）は２本の棒２０２の間隔よりも小さい。また、ネジ４０１の、円錐柱４０２と反対側には、ネジ４０１の中心軸に対して側方に伸びたレバー５０１がネジ（不図示）で固定されている。なお、ネジ穴３０４、ネジ４０１、円錐柱４０２及びレバー５０１が、２本の棒２０２を外側に押圧して湾曲させる湾曲手段を構成する。
【００１４】
また、棒２０２が突起中空部３０３の貫通穴３０２を貫通して係合したときには、２本の棒２０２の外側には２本の棒２０２の外側への湾曲を許容するだけの空間が存在する。
【００１５】
まず、車の天井に懸架金具２０１を固定する。そして、雲台筐体３０１のカメラネジ３０６をカメラ側のネジ穴に螺合させて、雲台筐体３０１とカメラとを固定する。そして、懸架金具２０１の棒２０２を、雲台筐体３０１の貫通穴３０２に貫通して係合した状態で、レバー５０１を上方から見て時計方向に回動させると、ネジ４０１が下方に螺進し、先端の円錐柱４０２が２本の棒２０２の間隔を押し広げ、棒２０２の変形で雲台筐体３０１の移動を拘束する。
【００１６】
このようにして、本発明の雲台装置はカメラを車の天井にワンタッチで固定する。カメラを取り外すときには、レバー５０１を反時計方向に回動させることで、２本の棒２０２が元の直線形状に戻るため、カメラを雲台筐体３０１ごと天井から取り外すことができる。
【００１７】
次に、本発明の作用を、図２を用いて説明する。図２は、雲台筐体３０１を２本の棒２０２の中心で水平に切断した作用説明断面図である。ネジ４０１の円錐柱４０２は、説明のため、２本の棒２０２の水平面で切断し、断面をクロスハッチングで表示している。
【００１８】
図２（ａ）は、レバー５０１が開放位置にあり、ネジ４０１の円錐柱４０２は、棒２０２と接触していない状態を示している。雲台筐体３０１の貫通穴３０２の穴間隔（ピッチ）寸法Ａと２本の棒２０２の軸間隔寸法Ｂは同一のため、雲台筐体３０１は前後（図２では上下）に自由に摺動し、着脱が可能となる。
【００１９】
図２（ｂ）は、レバー５０１が開放位置から回動して固定位置にあり、円錐柱４０２は下方に螺進して２本の棒２０２の間隔を押し広げた状態を示している。２本の棒２０２の外側には空間３０５が存在するため、円錐柱４０２が螺進して２本の棒２０２を外側に押圧すると、円錐柱４０２との接点周辺で２本の棒２０２が塑性変形して外側へ湾曲するする。このように螺進した円錐柱４０２が、２本の棒２０２の軸間隔寸法Ｂを、雲台筐体３０１の貫通穴３０２の穴間隔寸法Ａより大きくするため、雲台筐体３０１は棒２０２に対して移動を拘束され、固定される。
【００２０】
２本の棒２０２の外側の空間３０５の、棒２０２の中心軸と垂直方向の長さＣ、すなわち棒２０２の外側から突起中空部３０３の内壁までの距離Ｓは、以下の条件を満たすことが望ましい。すなわち、レバー５０１を開放位置から回動させて円錐柱４０２を螺進させ、円錐柱４０２が初めて棒２０２と接触したときの接点を通る円錐柱４０２の断面の直径をＤ１、円錐柱４０２の最大径をＤ２とすれば、（Ｄ２−Ｄ１）／２＜Ｓとなることが望ましい。このようにすると、円錐柱４０２と棒２０２との接点が、円錐柱４０２の最大径を持つ部分に達するまで円錐柱４０２を螺進させたとしても、棒２０２が外側に湾曲して突起中空部３０３の内壁に干渉することがない。
【００２１】
なお、図１、図２において、平行な２本の棒２０２を丸棒としているが、角棒にしても、同じ効果が得られることは言うまでもない。
【００２２】
なお、突起中空部３０３は中空であるとしたが、ネジ４０１及び円錐柱４０２が螺進する空間が存在し、かつ、円錐柱４０２が棒２０２を押圧したときに棒２０２が湾曲できるだけの空間が棒２０２の外側に存在しさえすれば、中空構造である必要はない。
【産業上の利用可能性】
【００２３】
本発明にかかる雲台装置は、簡単な部品の組み合わせで、摩擦力に依存しない固定が可能になるので、小型で安価なワンタッチ着脱を可能にした雲台装置等として有用である。
【図面の簡単な説明】
【００２４】
【図１】本発明の実施の形態１における雲台装置の部分断面斜視図
【図２】本発明の実施の形態１における雲台装置の作用説明断面図
【図３】従来の雲台装置の部品構成図
【符号の説明】
【００２５】
１０１  スライドプレート
１０２  蟻状突起
１０３  カメラネジ
１１１  １１１
１１２  蟻溝
１１３  凹部
１２１  押圧盤
１２２  昇降ネジ
１２３  レバー
２０１  懸架金具
２０２  棒
２０３  取付穴
３０１  雲台筐体
３０２  貫通穴
３０３  突起中空部
３０４  ネジ穴
３０５  空間
３０６  カメラネジ
４０１  ネジ
４０２  円錐柱
５０１  レバー
【図１】
2007199561.tif 000003
【図２】
2007199561.tif 000004
【図３】
2007199561.tif 000005